(57)【要約】  本発明は、移動に伴って受信環境が変化しても、安定した視聴が可能なデジタル放送受信装置を提供することを目的とする。本発明は、現在位置検出部（３５）で検出される現在位置を表す現在位置情報と、放送エリア情報記憶部（３４）に記憶される放送エリア情報とに基づいて、現在位置が放送エリアの境界近傍である場合にはダイバシティ動作モードを選択し、現在位置が放送エリアの境界近傍でない場合には独立受信動作モードを選択するように、サーチ方式切替制御部（３６）が選局制御部（３３）に指示する。ダイバシティ動作モードでは、第１系統（１０）と第２系統（２０）とが同一の物理チャンネルを選局して、ダイバシティ処理によって協働してデジタル放送信号を復調して出力する。独立受信動作モードでは、第１系統（１０）と第２系統（２０）とが独立して、デジタル放送信号を個別に復調して出力する。
2010131637.tif 000002
【特許請求の範囲】
【請求項１】
物理チャンネルを選局して、選局した物理チャンネルで放送局から放送される放送サービスのデジタル放送信号を受信し、受信したデジタル放送信号を復調してデコードし、映像信号および音声信号を出力する第１および第２の系統（１０，２０）と、
前記第１および第２の系統（１０，２０）に対して、選局するべき物理チャンネルを指示する選局制御手段（３３）と、
前記第１の系統（１０）と前記第２の系統（２０）とが同一の物理チャンネルを選局して、ダイバシティ処理によって協働してデジタル放送信号を復調して出力するダイバシティ動作モードと、前記第１の系統（１０）と前記第２の系統（２０）とが独立して、デジタル放送信号を個別に復調して出力する独立受信動作モードとを切替えるように、前記選局制御手段（３３）に指示する切替制御手段（３６）と、
現在位置を表す現在位置情報を取得する現在位置取得手段（３５）と、
受信できる可能性のある放送サービスの放送局の物理チャンネルおよび放送エリア、ならびに前記放送局の中継局に関する情報および系列局に関する情報のうちの少なくとも一方を含む放送エリア情報を記憶する放送エリア情報記憶手段（３４）とを備え、
前記切替制御手段（３６）は、
前記現在位置取得手段（３５）で取得される現在位置情報と、前記放送エリア情報記憶手段（３４）に記憶される放送エリア情報とに基づいて、前記現在位置情報で表される現在位置が、受信中の放送サービスの放送局の放送エリアとして前記放送エリア情報から取得される放送エリアの境界近傍である場合には前記ダイバシティ動作モードを選択し、前記現在位置情報で表される現在位置が、前記放送エリアの境界近傍でない場合には前記独立受信動作モードを選択するように、前記選局制御手段（３３）に指示することを特徴とするデジタル放送受信装置。
【請求項２】
前記選局制御手段（３３）は、
前記第１および第２の系統（１０，２０）がダイバシティ動作モードで動作しているときには、受信中の放送サービスの受信状況が悪化した場合に、前記第１および第２の系統（１０，２０）で協働して、受信中の放送サービスの放送局の中継局および系列局をサーチし、前記第１および第２の系統（１０，２０）が独立受信動作モードで動作しているときには、前記第１および第２の系統（１０，２０）のうち、一方の系統で、受信中の放送サービスのデジタル放送信号を復調してデコードし、映像信号および音声信号を出力するとともに、他方の系統で、受信中の放送サービスの放送局の中継局および系列局をサーチするように、前記第１および第２の系統（１０，２０）に指示することを特徴とする請求項１に記載のデジタル放送受信装置。
【請求項３】
前記切替制御手段（３６）は、
前記現在位置情報で表される現在位置が、前記放送エリア情報から取得される受信中の放送サービスの放送局の放送エリアのうちの境界近傍エリアであって、前記放送局の中継局または系列局の放送エリアと重複しているエリアに位置するとき、前記独立受信動作モードで、前記第１および第２の系統（１０，２０）のうち、一方の系統で、受信中の放送サービスのデジタル放送信号を復調して出力するとともに、他方の系統で、受信中の放送サービスの放送局の中継局および系列局をサーチし、前記サーチによって前記中継局または系列局が検出できない場合に、前記ダイバシティ動作モードに切替えて、前記中継局および系列局のサーチを行うように、前記選局制御手段（３３）に指示することを特徴とする請求項１または２に記載のデジタル放送受信装置。
【請求項４】
前記選局制御手段（３３）は、
受信中の放送サービスの放送局の中継局および系列局をサーチするとき、前記放送エリア情報記憶手段（３４）に記憶される前記放送エリア情報に基づいて、前記現在位置情報で表される現在位置で受信できる可能性の高いチャンネルから優先的に選局し、この選局によって前記中継局または系列局が検出できないと判断すると、前記現在位置と前記放送エリア情報から取得される前記放送エリアの重心位置との距離、または前記現在位置と前記放送エリア情報から取得される前記放送エリアの境界との距離に基づいて、その距離が近い中継局または系列局のチャンネルから優先的に選局するように、前記第１および第２の系統（１０，２０）に指示することを特徴とする請求項１〜３のいずれか１つに記載のデジタル放送受信装置。
【請求項５】
前記放送エリア情報記憶手段（３４）は、
前記放送局から放送される放送サービスのデジタル放送信号に含まれる周波数リストに記載される送信所の所在地の郵便番号および送信電力に基づいて、前記放送エリアを推定して記憶することを特徴とする請求項１〜４のいずれか１つに記載のデジタル放送受信装置。
【請求項６】
前記放送エリア情報記憶手段（３４）は、
前記放送局から放送される放送サービスのデジタル放送信号に含まれるネットワーク情報テーブルセクションに含まれるセルリスト（cell list）記述子およびセルリンク周波数（cell link frequency）記述子が更新されると、前記放送エリア情報を更新することを特徴とする請求項１〜５のいずれか１つに記載のデジタル放送受信装置。
【請求項７】
前記放送エリア情報記憶手段（３４）は、
前記放送局の中継局に関する情報および系列局に関する情報のうちの少なくとも一方として、前記中継局が送出するトランスポートストリームを特定する情報、および前記系列局が送出するトランスポートストリームを特定する情報のうちの少なくとも一方を記憶することを特徴とする請求項１〜６のいずれか１つに記載のデジタル放送受信装置。
【発明の詳細な説明】
【技術分野】
【０００１】
本発明は、デジタル放送受信装置に関し、より詳細には、移動体に搭載して用いられるデジタル放送受信装置に関する。
【背景技術】
【０００２】
固定受信を前提としたデジタル放送受信装置を車両などの移動体に搭載して用いるときには、移動体の移動に伴ってデジタル放送受信装置の受信位置が移動することから、山などの地形およびビルなどの構造物の影響で搬送波の遮断および減衰などが生じ、デジタル放送信号を受信できなくなる場合がある。またデジタル放送受信装置の受信位置が視聴中の番組の放送局のサービス地域外になり、デジタル放送信号を受信できなくなる場合がある。【０００３】
そのような場合には、利用者が手動でチャンネルスキャンを行わない限り、デジタル放送信号を受信することができず、サービスの視聴を継続することができないという問題がある。ここで、チャンネルスキャンとは、デジタル放送受信装置の現在位置で受信可能なデジタル放送のチャンネル情報を取得することをいう。チャンネル情報とは、デジタル放送を選局するために必要な物理チャンネルおよびサービスＩＤ（service_id）などの情報の総称である。【０００４】
前述の問題の改善策として、移動体の移動に伴ってデジタル放送受信装置におけるデジタル放送信号の受信状況が悪化した場合に、視聴用として用いている系統とは別の系統で、受信可能な他のチャンネルを検索する、いわゆるサーチを開始するデジタル放送受信装置が、特許文献１に開示されている。【０００５】
また別系統で他のチャンネルのサーチを全チャンネル分実行した結果、視聴中の番組と同一番組が他のチャンネルで検出できない場合、また検出できても受信状況が悪い場合には、別系統でのチャンネルサーチを終了して、ダイバシティ処理を行うデジタル放送受信装置が、特許文献２に開示されている。
【先行技術文献】
【特許文献】
【０００６】
【特許文献１】特開２００５−２１０６４８号公報（第３−４頁、第２図）
【特許文献２】特開２００８−０３４９６２号公報（第１５−１６頁、第３図）
【発明の概要】
【発明が解決しようとする課題】
【０００７】
特許文献１および２に開示されるデジタル放送受信装置は、受信状況が悪化した場合に、別系統で他のチャンネルのサーチを開始するように構成されている。このように受信状況が悪化したにも拘わらず、別系統で他のチャンネルのサーチを行うと、現在視聴中の系統がダイバシティ処理を行うことができなくなるので、受信状況がさらに悪化してしまうという問題がある。【０００８】
また特許文献１および２に開示されるデジタル放送受信装置では、受信状況が悪化して初めて、他のチャンネルのサーチを行うので、受信状況が急激に悪化した場合には、同一の番組を放送している他のチャンネルを検出する前に受信不可状態となり、映像および音声が中断されてしまうことが考えられる。【０００９】
本発明の目的は、移動に伴って受信環境が変化しても、安定した視聴が可能なデジタル放送受信装置を提供することである。
【課題を解決するための手段】
【００１０】
本発明のデジタル放送受信装置は、物理チャンネルを選局して、選局した物理チャンネルで放送局から放送される放送サービスのデジタル放送信号を受信し、受信したデジタル放送信号を復調してデコードし、映像信号および音声信号を出力する第１および第２の系統と、前記第１および第２の系統に対して、選局するべき物理チャンネルを指示する選局制御手段と、前記第１の系統と前記第２の系統とが同一の物理チャンネルを選局して、ダイバシティ処理によって協働してデジタル放送信号を復調して出力するダイバシティ動作モードと、前記第１の系統と前記第２の系統とが独立して、デジタル放送信号を個別に復調して出力する独立受信動作モードとを切替えるように、前記選局制御手段に指示する切替制御手段と、現在位置を表す現在位置情報を取得する現在位置取得手段と、受信できる可能性のある放送サービスの放送局の物理チャンネルおよび放送エリア、ならびに前記放送局の中継局に関する情報および系列局に関する情報のうちの少なくとも一方を含む放送エリア情報を記憶する放送エリア情報記憶手段とを備え、前記切替制御手段は、前記現在位置取得手段で取得される現在位置情報と、前記放送エリア情報記憶手段に記憶される放送エリア情報とに基づいて、前記現在位置情報で表される現在位置が、受信中の放送サービスの放送局の放送エリアとして前記放送エリア情報から取得される放送エリアの境界近傍である場合には前記ダイバシティ動作モードを選択し、前記現在位置情報で表される現在位置が、前記放送エリアの境界近傍でない場合には前記独立受信動作モードを選択するように、前記選局制御手段に指示することを特徴とする。
【発明の効果】
【００１１】
本発明のデジタル放送受信装置によれば、ダイバシティ動作モードまたは独立受信動作モードで動作される第１および第２の系統によって、選局制御手段に指示された物理チャンネルが選局され、選局された物理チャンネルで放送局から放送される放送サービスのデジタル放送信号が受信され、復調されてデコードされ、映像信号および音声信号が出力される。ダイバシティ動作モードと独立受信動作モードとは、切替制御手段に指示される選局制御手段によって、現在位置取得手段で取得される現在位置情報と、放送エリア情報記憶手段に記憶される放送エリア情報とに基づいて選択される。これによって、現在位置に応じた適切な動作モードで動作させることができる。【００１２】
具体的には、現在位置が、受信状況が悪いことが多い放送エリアの境界近傍である場合には、選局制御手段によってダイバシティ動作モードが選択され、第１および第２の系統がダイバシティ動作モードで動作するので、受信状況を改善し、視聴可能エリアを拡大することができる。また現在位置が、放送エリアの境界近傍でない場合、すなわち受信状況が良好な放送エリアの中心領域に位置する場合には、選局制御手段によって独立受信動作モードが選択され、第１および第２の系統が独立受信動作モードで動作するので、一方の系統で視聴を継続しながら、他方の系統でサーチを行うことが可能である。これによって、受信状況が悪化したときに、受信状況の良好な物理チャンネルに円滑に切替えることが可能である。したがって、移動に伴って受信環境が変化しても、安定した視聴が可能なデジタル放送受信装置を実現することができる。【００１３】
この発明の目的、特徴、局面、および利点は、以下の詳細な説明と添付図面とによって、より明白となる。
【図面の簡単な説明】
【００１４】
【図１】本発明の実施の一形態であるデジタル放送受信装置１の構成を示すブロック図である。
【図２】本発明の実施の一形態における放送エリア情報記憶部３４に記憶される放送エリアテーブルの一例を示す図である。
【図３】移動に伴うサーチ方式の切替え制御動作を説明するための図である。
【図４】サーチ方式の切替え制御動作におけるデジタル放送受信装置１の処理手順を示すフローチャートである。
【図５】裏サーチ動作におけるデジタル放送受信装置１の処理手順を示すフローチャートである。
【図６】ダイバシティモードによるサーチ処理におけるデジタル放送受信装置１の処理手順を示すフローチャートである。
【図７】本発明の実施の一形態における放送エリア情報記憶部３４に記憶される放送エリアテーブルにおいて、ＴＳを一意に特定する情報を記録するようにした一例を示す図である。
【発明を実施するための形態】
【００１５】
図１は、本発明の実施の一形態であるデジタル放送受信装置１の構成を示すブロック図である。デジタル放送受信装置１は、第１アンテナ１１、第１チューナ部１２、第１復調部１３、第１トランスポートストリーム（Transport Stream；略称：ＴＳ）デマルチプレクス部１４、第２アンテナ２１、第２チューナ部２２、第２復調部２３、第２ＴＳデマルチプレクス部２４、映像・音声デコード部３１、映像音声出力部３２、選局制御部３３、放送エリア情報記憶部３４、現在位置検出部３５およびサーチ方式切替制御部３６を備える。
【００１６】
第１アンテナ１１、第１チューナ部１２、第１復調部１３、第１ＴＳデマルチプレクス部１４、映像・音声デコード部３１、および映像音声出力部３２は、デジタル放送信号を受信する受信系統である第１系統１０を構成する。第２アンテナ２１、第２チューナ部２２、第２復調部２３、第２ＴＳデマルチプレクス部２４、映像・音声デコード部３１、および映像音声出力部３２は、デジタル放送信号を受信する他の受信系統である第２系統２０を構成する。すなわちデジタル放送受信装置１は、デジタル放送信号を受信する２つの受信系統として、第１系統１０および第２系統２０を備える。
【００１７】
第１系統１０は第１の系統に相当し、第２系統２０は第２の系統に相当する。選局制御部３３は、選局制御手段に相当する。放送エリア情報記憶部３４は、放送エリア情報記憶手段に相当する。現在位置検出部３５は、現在位置取得手段に相当する。サーチ方式切替制御部３６は、切替制御手段に相当する。
【００１８】
第１アンテナ１１は、放送局から放送される放送サービスのデジタル放送信号を受信可能であり、第１アンテナ１１によって受信したデジタル放送信号は、第１系統１０を構成する第１チューナ部１２に与えられる。第１チューナ部１２は、第１アンテナ１１から与えられるデジタル放送信号を受信し、その受信したデジタル放送信号から特定の周波数の信号を抽出し、第１復調部１３に与える。
【００１９】
第１チューナ部１２が、前記受信したデジタル放送信号のうちのいずれの周波数の信号を抽出するかは、後述する選局制御部３３によって制御される。換言すれば、第１チューナ部１２は、選局制御部３３から与えられる所定の制御信号に基づいて、前記特定の周波数の信号を抽出する。前記特定の周波数は、デジタル放送信号に含まれる複数の物理チャンネル（以下、単に「チャンネル」という場合がある）のうち、いずれかのチャンネルの周波数であり、前記特定の周波数の信号を抽出することは、チャンネルを選局して、選局した物理チャンネルで放送局から放送される放送サービスのデジタル放送信号を受信することを意味する。
【００２０】
また第１チューナ部１２は、受信した信号の受信レベル情報、たとえば受信Ｃ／Ｎ比（Carrier to Noise ratio：搬送波電力対雑音電力比）情報を選局制御部３３に出力する。また第１チューナ部１２は、ＰＬＬ（Phase Locked Loop）ロック情報を選局制御部３３に出力する。
【００２１】
第１復調部１３は、第１チューナ部１２から与えられる信号の復調および誤り訂正を行い、ＴＳを出力する。第１復調部１３から出力されるＴＳは、第１ＴＳデマルチプレクス部１４に与えられる。また第１復調部１３は、フレームロック情報および誤り率情報のうちの少なくともいずれか一方を選局制御部３３に出力する。
【００２２】
第１ＴＳデマルチプレクス部１４は、受信したデジタル放送信号、具体的には第１復調部１３から与えられるＴＳから、番組に関する情報である番組情報として、たとえば番組特定情報（Program Specific Information；略称：ＰＳＩ）および番組配列情報（サービス情報：Service Information；略称：ＳＩ）を抽出し、抽出したＰＳＩおよびＳＩを、図示しないメモリに記憶させる。
【００２３】
第１ＴＳデマルチプレクス部１４は、抽出したＰＳＩおよび／またはＳＩ（以下「ＰＳＩ／ＳＩ」という場合がある）から、ＴＳ中の映像ＴＳパケットおよび音声ＴＳパケットのうちの少なくとも１種類のＴＳパケット識別子（Packet Identifier；略称：ＰＩＤ）の値を検出し、ＴＳを各ＰＩＤでフィルタリングして映像ＴＳパケットおよび音声ＴＳパケットを分離させて抽出する。ここで、映像ＴＳパケットに含まれる映像の形式は、ＭＰＥＧ（Moving picture Experts Group）２−ｖｉｄｅｏでもよいし、ＭＰＥＧ４−ＡＶＣ（Advanced Video Coding）でもよいし、他の形式の映像でもよい。また音声ＴＳパケットに含まれる音声の形式は、ＭＰＥＧ２−ＢＣ（Backward Compatible）でもよいし、ＭＰＥＧ２―ＡＡＣ（Advanced Audio Coding）でもよいし、ＡＣ３（Dolby AC3：Audio Code Number 3）でもよいし、他の形式の音声でもよい。また、複数の種類の映像ＴＳパケットおよび音声ＴＳパケットを同時に抽出してもよい。
【００２４】
第１ＴＳデマルチプレクス部１４は、抽出した映像ＴＳパケットおよび音声ＴＳパケットのうちの少なくとも１種類のＴＳパケットを映像・音声デコード部３１に与える。また第１ＴＳデマルチプレクス部１４は、番組アソシエーション（統合）テーブル（Program Association Table；略称：ＰＡＴ）断絶情報（途絶情報）、番組対応テーブル（Program Map Table；略称：ＰＭＴ）断絶情報（途絶情報）、ＴＳ同期はずれ（同期ロスト）情報、およびＴＳパケットの損失情報（パケットロスト情報）の各種情報のうちの少なくともいずれか１つを選局制御部３３に出力する。
【００２５】
ＰＡＴ断絶情報は、ＰＡＴが所定の時間間隔で到来しなかった場合に発せられる。ＰＭＴ断絶情報は、ＰＭＴが所定の時間間隔で到来しなかった場合に発せられる。ＴＳ同期はずれ情報（通知）は、ＴＳにおいて１８８バイト毎に同期バイトが検出されない場合に発せられる。ＴＳパケットの損失情報（通知）は、ＴＳのヘッダ中に存在する連続性カウンタ値の不連続を検出したときに発せられる。
【００２６】
ＴＳには複数のサービスが含まれていることがある。第１ＴＳデマルチプレクス部１４が、ＴＳに含まれるサービスのうちのいずれのサービスを選局するかは、後述する選局制御部３３によって制御される。換言すれば、第１ＴＳデマルチプレクス部１４は、選局制御部３３から与えられる所定の制御信号に基づいて、ＴＳに含まれるサービスを選局する。
【００２７】
第２系統２０を構成する第２アンテナ２１、第２チューナ部２２、第２復調部２３および第２ＴＳデマルチプレクス部２４は、前述の第１系統１０を構成する第１アンテナ１１、第１チューナ部１２、第１復調部１３および第１ＴＳデマルチプレクス部１４とそれぞれ同様の機能を備え、同様の動作をするので、第２アンテナ２１、第２チューナ部２２、第２復調部２３および第２ＴＳデマルチプレクス部２４の説明は省略する。
【００２８】
映像・音声デコード部３１は、第１ＴＳデマルチプレクス部１４または第２ＴＳデマルチプレクス部２４から与えられる映像ＴＳパケットおよび音声ＴＳパケットのうちの少なくとも１種類のＴＳパケットのデコードを行う。映像・音声デコード部３１は、映像パケットの復号された映像信号および音声パケットの復号された音声信号を、映像音声出力部３２にそれぞれ出力する。また映像・音声デコード部３１は、映像ＴＳパケットのデコード、および音声ＴＳパケットのデコードのうち少なくともいずれか一方の処理が不可能な状態になったとき、デコードエラー検出情報およびデコードエラー率情報のうちの少なくともいずれか１つを選局制御部３３に出力する。
【００２９】
映像音声出力部３２は、映像・音声デコード部３１から出力される映像信号に基づいて、表示画面に映像を表示するとともに、映像・音声デコード部３１から出力される音声信号に基づいて、スピーカから音声を出力する。
【００３０】
本実施の形態では、デジタル放送受信装置１は、第１系統１０と第２系統２０とが独立してＴＳを出力する独立受信動作モード（以下「独立受信モード」という場合がある）と、ダイバシティ受信処理によって、より受信安定性の強い１つのＴＳを出力するダイバシティ動作モード（以下「ダイバシティモード」という場合がある）との２つの動作を切替え可能に構成されている。この切替え指示は、選局制御部３３から第１復調部１３および第２復調部２３に通知される。
【００３１】
独立受信モードでは、第１系統１０と第２系統２０とが独立して、デジタル放送信号を個別に復調して出力する。本実施の形態において、独立受信モードでは、第１系統１０において、視聴のための映像・音声デコード処理を行い、第２系統２０において、第１系統１０で視聴しているチャンネルとは異なるチャンネルで同一の番組を放送している可能性のある中継局または系列局のサーチを行う。
【００３２】
独立受信モードにおいて、第１復調部１３から出力されたＴＳは、第１ＴＳデマルチプレクス部１４に出力され、第２復調部２３から出力されたＴＳは、第２ＴＳデマルチプレクス部２４に出力される。第１ＴＳデマルチプレクス部１４は、前述のように第１復調部１３から与えられるＴＳを映像ＴＳパケットおよび音声ＴＳパケットの各エレメンタリーストリームに分離して映像・音声デコード部３１に出力するとともに、ＰＳＩ／ＳＩセクションデータを抽出する。第２ＴＳデマルチプレクス部２４は、ＰＳＩ／ＳＩセクションデータを抽出し、受信したＴＳが視聴中のＴＳに対する中継局または系列局であるか否かを検出する。中継局または系列局であることを検出すると、第２ＴＳデマルチプレクス部２４は、その旨を選局制御部３３に通知する。
【００３３】
ダイバシティモードでは、第１系統１０の第１チューナ部１２と第２系統２０の第２チューナ部２２とが同一の物理チャンネルを選局して、ダイバシティ処理によって協働してデジタル放送信号を復調して出力する。
【００３４】
具体的に述べると、ダイバシティモードでは、第２ＴＳデマルチプレクス部２４は用いられずに、第２復調部２３からの出力が第１復調部１３に入力される。第１復調部１３において、ダイバシティ処理が施されて安定性の強い１本のＴＳが出力され、第１ＴＳデマルチプレクス部１４を介して映像・音声デコード部３１に与えられる。そして、映像・音声デコード部３１から出力される映像信号および音声信号が映像音声出力部３２に与えられ、表示画面に映像が表示されるとともに、スピーカから音声が出力される。ダイバシティ処理としては、本実施の形態では、復調されたＴＳを合成して１本のＴＳとして出力する合成ダイバシティ処理を行うが、これに限定されず、復調されたＴＳのうち、受信状況の良い方を選択して出力する選択ダイバシティ処理を行ってもよい。
【００３５】
選局制御部３３は、第１および第２復調部１３，２３に、独立受信モードおよびダイバシティモードのいずれの動作モードで動作すべきかを表す指示を与える。第１および第２復調部１３，２３は、選局制御部３３からの動作モードの指示を受け、独立受信モードおよびダイバシティモードのいずれかの動作モードで動作する。
【００３６】
選局制御部３３は、利用者からの選局要求、または自身で判断した受信状況に基づいて、第１系統１０でいずれのチャンネルを選局するかを決め、第１チューナ部１２および第１ＴＳデマルチプレクス部１４を制御して、そのチャンネルを第１系統１０で選局させる。また選局制御部３３は、利用者からの選局要求、または自身で判断した受信状況に基づいて、第２系統２０でいずれのチャンネルを選局するかを決め、第２チューナ部２２および第２ＴＳデマルチプレクス部２４を制御して、そのチャンネルを第２系統２０で選局させる。
【００３７】
たとえば選局制御部３３は、図示しない入力部を介して利用者から選局指示を受けると、後述する放送エリア情報記憶部３４から物理チャンネルを取得して、その物理チャンネルで選局を行う。具体的には、選局制御部３３は、取得した物理チャンネルに基づいて、第１および第２チューナ部１２，２２に対して、特定の物理チャンネルの選局を指示する。
【００３８】
また選局制御部３３は、第１および第２チューナ部１２，２２から与えられる受信Ｃ／Ｎ比情報およびＰＬＬロック情報、ならびに第１および第２復調部１３，２３から与えられる直交周波数分割多重（Orthogonal Frequency Division Multiplexing；略称：ＯＦＤＭ）フレームのフレームロック情報および誤り率情報のうちの少なくともいずれか１つに基づいて、受信状況を判断して、第１および第２チューナ部１２，２２に選局を指示する。選局制御部３３は、たとえば、受信Ｃ／Ｎ比情報が表すＣ／Ｎ比が所定値未満である場合に、受信状況が悪化した、具体的には受信不可であると判断する。また選局制御部３３は、たとえば、ＰＬＬロック情報に基づいて、ＰＬＬロックがはずれたと判断されるときに、受信不可であると判断する。また選局制御部３３は、たとえば、フレームロック情報に基づいて、ＯＦＤＭフレームのフレームロックがはずれたと判断されるときに、受信不可であると判断する。また選局制御部３３は、たとえば、誤り率情報が表す誤り率が所定値を超えると判断されるときに、受信不可であると判断する。
【００３９】
また選局制御部３３は、第１および第２ＴＳデマルチプレクス部１４，２４から与えられるＰＡＴ断絶情報、ＰＭＴ断絶情報、ＴＳ同期はずれ情報、およびＴＳパケットの損失情報のうちの少なくともいずれか１つに基づいて、受信状況を判断して、第１および第２チューナ部１２，２２に選局を指示する。選局制御部３３は、たとえば、ＰＡＴ断絶情報に基づいてＰＡＴの断絶が検出されたときに、受信不可であると判断する。また選局制御部３３は、たとえば、ＰＭＴ断絶情報に基づいてＰＭＴの断絶が検出されたときに、受信不可であると判断する。また選局制御部３３は、たとえば、ＴＳ同期はずれ情報に基づいてＴＳ同期はずれが検出されたときに、受信不可であると判断する。また選局制御部３３は、たとえば、ＴＳパケットの損失情報に基づいてＴＳパケットの損失が検出されたときに、受信不可であると判断する。
【００４０】
また選局制御部３３は、映像・音声デコード部３１から与えられるデコードエラー検出情報およびデコードエラー率情報のうちの少なくともいずれか１つに基づいて、受信状況を判断して、第１および第２チューナ部１２，２２に選局を指示する。選局制御部３３は、たとえば、デコードエラー検出情報に基づいてデコードエラーが検出されたときに、受信不可であると判断する。また選局制御部２０は、たとえば、デコードエラー率情報が表すデコードエラー率が所定値を超えると判断されるときに、受信不可であると判断する。
【００４１】
図２は、本発明の実施の一形態における放送エリア情報記憶部３４に記憶される放送エリアテーブルの一例を示す図である。放送エリア情報記憶部３４は、受信できる可能性のある放送サービスの放送局の物理チャンネルおよび放送エリアと、その放送局の中継局に関する情報および系列局に関する情報のうちの少なくとも一方とを含む放送エリア情報を記憶する。本実施の形態では、放送エリア情報記憶部３４は、中継局に関する情報および系列局に関する情報のうちの少なくとも一方として、中継局の物理チャンネルおよび系列局の物理チャンネルのうちの少なくとも一方を記憶する。具体的には、放送エリア情報記憶部３４は、放送エリア情報として、各位置における受信可能な放送サービスが記載された放送エリアテーブルを記憶する。
【００４２】
放送エリアテーブルには、たとえば、図２に示すように、ＴＳ名４１と、その物理チャンネル４２と、そのＴＳが受信可能なエリアである放送エリア（以下「受信エリア」という場合がある）４３とが記載され、さらに、その物理チャンネル４２のマルチ周波数ネットワーク（Multi Frequency Network；略称：ＭＦＮ）の中継局の物理チャンネル（以下「ＭＦＮ物理チャンネル」という場合がある）４４および系列局の物理チャンネル（以下「系列局チャンネル」という場合がある）４５など、同一番組が放送されている可能性のあるチャンネルが記載されている。
【００４３】
放送エリア４３については、図２では矩形エリアとして各４点の頂点の経度および緯度が記載されているが、円形または多角形で放送エリアを表して、その放送エリアの経度および緯度を記載してもよい。放送エリアテーブルは、本実施の形態では、製品出荷前に事前に放送エリア情報記憶部３４に記憶させておく。これに限定されず、放送エリアテーブルは、移動しながら受信したＴＳの情報を経度および緯度の情報とともに更新するようにしてもよい。このようにエリア情報記憶部３４は、放送サービスを受信できた放送エリアに基づいて、放送エリア情報を更新するように構成されてもよい。
【００４４】
また放送エリアテーブルは、ＤＶＢ（Digital Video Broadcasting）規格の中の地上デジタルテレビジョン放送の規格であるＤＶＢ−Ｔ（Digital Video Broadcasting-Terrestrial）規格で伝送されるネットワーク情報テーブル（Network Information Table；略称：ＮＩＴ）セクションに含まれるセルリスト（cell_list）記述子とセルリンク周波数（cell_link_frequency）記述子とから生成してもよい。これらの記述子には、放送サービスが受信可能な放送エリアを表す受信エリア情報として、放送エリアを矩形で表したときの経度および緯度と、そのエリアで受信可能な中継局とが記載されている。
【００４５】
これらの記述子から放送エリアテーブルを生成することは、これらの記述子の更新、ひいては、これらの記述子に記載される受信エリア情報の更新に伴って、放送エリア情報である放送エリアテーブルを更新することを意味する。このように放送エリア情報記憶部３４は、放送局から放送される放送サービスのデジタル放送信号、具体的にはＮＩＴセクションに含まれる受信エリア情報、より詳細にはＮＩＴセクションに含まれるセルリスト（cell list）記述子およびセルリンク周波数（cell link frequency）記述子が更新されると、放送エリア情報を更新するように構成されてもよい。
【００４６】
さらに放送エリアテーブルは、地上デジタルテレビジョン放送の規格であるＩＳＤＢ−Ｔ（Integrated Services Digital Broadcasting-Terrestrial）規格で伝送される周波数リストを用いて生成してもよい。周波数リストには、全国の送信所の郵便番号、送信電力および物理チャンネル、ならびに中継局および系列局の情報が記載されている。送信所の郵便番号から送信所の経度および緯度を把握し、送信電力から送信半径の距離を推定して円形の放送エリアとして放送エリア情報を生成してもよい。このように放送エリア情報記憶部３４は、放送局から放送される放送サービスのデジタル放送信号に含まれる周波数リストに記載される送信所の所在地の郵便番号および送信出力に基づいて、放送エリアを推定して記憶するように構成されてもよい。
【００４７】
図１に戻って、現在位置検出部３５は、たとえば全地球測位システム（Global Positioning System；略称：ＧＰＳ）アンテナからの信号に基づいて、デジタル放送受信装置１の現在位置を検出する。現在位置は、たとえば現在位置の経度および緯度で表される。現在位置検出部３４は、検出した現在位置を表す情報（以下「現在位置情報」という場合がある）を、選局制御部３３およびサーチ方式切替制御部３６にそれぞれ通知する。
【００４８】
サーチ方式切替制御部３６は、放送エリア情報記憶部３４に記憶されている放送エリアテーブルを参照して、現在位置検出部３４から与えられる現在位置情報に基づいて、現在位置が放送エリアの境界近傍であるか否か、すなわち現在位置が放送エリアの境界近傍エリアに位置するか否かを判断する。このようにサーチ方式切替制御部３６は、現在位置情報で表される現在位置が、放送エリア情報から取得される受信中の放送サービスの放送局の放送エリアの境界近傍であるか否かを判断する。ここで「放送エリアの境界近傍エリア」とは、放送エリアのうち、その放送エリアの境界近傍の領域をいう。以下では、放送エリアのうち、境界近傍エリアを除く残余の領域を「放送エリアの中心領域」という。したがって中心領域の周辺の領域が、境界近傍エリアとなる。
【００４９】
現在位置が放送エリアの境界近傍であるか否かの判断は、たとえば、現在位置と放送エリアの境界線との最短距離に基づいて行われる。サーチ方式切替制御部３６は、現在位置と放送エリアの境界線との最短距離が、予め定める閾値以下の場合に、現在位置が放送エリアの境界近傍であると判断し、閾値を超える場合に、現在位置が放送エリアの境界近傍ではないと判断する。この現在位置と放送エリアの境界線との最短距離が閾値を超える領域が、放送エリアの中心領域となる。
【００５０】
サーチ方式切替制御部３６は、現在位置が放送エリアの境界近傍であると判断した場合は、選局制御部３３に対して、ダイバシティモードに切替えるように通知する。またサーチ方式切替制御部３６は、現在位置が放送エリアの境界近傍ではないと判断した場合は、選局制御部３３に対して、独立受信モードに切替えるように通知する。このようにサーチ方式切替制御部３６は、現在位置が放送エリアの境界近傍である場合にはダイバシティ動作モードを選択し、現在位置が放送エリアの境界近傍でない場合には独立受信動作モードを選択するように、選局制御部３３に指示する。
【００５１】
選局制御部３３は、サーチ方式切替制御部３６から与えられる通知を受け、第１および第２系統１０，２０、具体的には第１および第２復調部１３，２３に、ダイバシティモードおよび独立受信モードのうちのいずれの動作モードで動作するかの指示を行う。
【００５２】
選局制御部３３は、現在位置検出部３５から与えられる現在位置情報が表す現在位置の経度および緯度に基づいて、現在位置で受信可能と判断されるチャンネル情報を放送エリア情報記憶部３４から取得し、それらの中から視聴中のＴＳに対する中継局または系列局を優先的にサーチする優先的サーチを行う。この優先的サーチの後は、残りのチャンネルをサーチする。このように本実施の形態では、全チャンネルをサーチする。
【００５３】
独立受信モードの場合は、このサーチ順に従って、第２チューナ部２２に対して選局指示を行い、第１系統１０において番組を視聴しつつ、第２系統２０において第１系統１０で受信しているＴＳに対する中継局または系列局のサーチを並行して行う。ダイバシティモードの場合には、番組を視聴している第１系統１０の受信状況が、悪化した時点、具体的には、もはや受信不可能となった時点で、第１チューナ部１２および第２チューナ部２２に対して、前述のサーチ順に従って選局指示を行う。
【００５４】
図３は、移動に伴うサーチ方式の切替え制御動作を説明するための図である。図３に示す例では、デジタル放送受信装置１を搭載した移動体、たとえば車両が、図３に示す地点Ａを出発し、地点Ｂを経由して地点Ｃまで移動した場合のデジタル放送受信装置１の動作について説明する。
【００５５】
図３において、地点Ａは、第１の放送サービスの放送エリア５１の中心領域５１ａ内に位置し、地点Ｂは、第１の放送サービスの放送エリア５１の中心領域５１ａと、その周辺領域である境界近傍エリアＳ１との境界線上に位置し、地点Ｃは、第１の放送サービスの放送エリア５１を規定する境界線上であって、第１の放送サービスの中継局の放送エリア５２の境界近傍エリアＳ２内に位置する。
【００５６】
第１の放送サービスの放送エリア５１の境界近傍エリアＳ１は、その放送エリア５１を規定する境界線と、その放送エリア５１の中心領域５１ａを規定する境界線との間の領域に相当する。中継局の放送エリア５２の境界近傍エリアＳ２は、中継局の放送エリア５２の中心領域５２ａの周辺領域であり、その放送エリア５２を規定する境界線と、その放送エリア５２の中心領域５２ａを規定する境界線との間の領域に相当する。図３に示すように、第１の放送サービスの放送エリア５１は、その中継局の放送エリア５２と一部重複している。
【００５７】
まず、第１の放送サービスを地点Ａで視聴しているとする。たとえば地点Ａから地点Ｂに移動している間は、現在位置は、第１の放送サービスの境界近傍エリアＳ１ではなく、第１の放送サービスの放送エリア５１の中心領域５１ａに属すると判断される。したがってサーチ方式切替制御部３６は、選局制御部３３に、独立動作モードに切替える通知を行う。
【００５８】
また地点Ｂから地点Ｃに移動している間は、現在位置は、第１の放送サービスの放送エリア５１の境界近傍エリアＳ１および中継局の放送エリア５２の境界近傍エリアＳ２に属すると判断される。したがってサーチ方式切替制御部３６は、選局制御部３３に、ダイバシティモードに切替える通知を行う。
【００５９】
図４は、サーチ方式の切替え制御動作におけるデジタル放送受信装置１の処理手順を示すフローチャートである。図４に示すフローチャートの各処理は、サーチ方式切替制御部３６および選局制御部３３によって実行される。図４に示すフローチャートの処理は、デジタル放送受信装置１に電力が供給されると開始され、ステップａ１に移行する。
【００６０】
ステップａ１において、サーチ方式切替制御部３６は、現在位置検出部３５から与えられる現在位置情報と、放送エリア情報記憶部３４に記憶されている放送エリアテーブルとに基づいて、現在位置が放送エリアの境界近傍であるか否かを判断する。具体的には、サーチ方式切替制御部３６は、現在位置と放送エリアの境界線との最短距離が、予め定める閾値以下の場合に、現在位置が放送エリアの境界近傍であると判断し、閾値を超える場合に、現在位置が放送エリアの境界近傍ではないと判断する。ステップａ１において、境界近傍であると判断すればステップａ３に移行し、境界近傍でないと判断すればステップａ２に移行する。
【００６１】
たとえば、デジタル放送受信装置１が前述の図３に示す地点Ａから地点Ｂに移動している間は、ステップａ１では、現在位置は、第１の放送サービスの境界近傍エリアＳ１ではなく、第１の放送サービスの放送エリア５１の中心領域５１ａに属すると判断されるので、ステップａ２に移行する。またデジタル放送受信装置１が図３に示す地点Ｂから地点Ｃに移動している間は、現在位置は、第１の放送サービスの放送エリア５１の境界近傍エリアＳ１および中継局の放送エリア５２の境界近傍エリアＳ２に属すると判断されるので、ステップａ３に移行する。
【００６２】
ステップａ２では、選局制御部３３は、第２系統２０によって裏サーチを行うように指示する。裏サーチとは、第１系統１０において映像および音声のデコード処理、ならびに映像表示処理および音声出力処理をそのまま継続して行っている状態で、第２系統２０において第１系統１０で視聴しているＴＳに対する中継局または系列局のサーチを行うことをいう。この裏サーチの動作の詳細については、後述する。選局制御部３３によって第２系統２０に裏サーチを行うように指示することは、独立受信動作モードに設定することを意味する。第２系統２０に裏サーチを実行させると、ステップａ１に戻り、前述の処理を繰返す。
【００６３】
ステップａ３では、サーチ方式切替制御部３６は、選局制御部３３にダイバシティモードに切替える通知を行う。これによって選局制御部３３は、第１および第２系統１０，２０をダイバシティ動作モードに設定して、視聴を継続するように指示し、ステップａ４に移行する。
【００６４】
ステップａ４において、選局制御部３３は、第１系統１０における受信状況が悪化しているか否かを判断し、悪化していると判断した場合は、ステップａ５に移行し、悪化していないと判断した場合は、ステップａ１に戻り、前述の現在位置が放送エリアの境界近傍か否かの判断から始まる処理を繰返す。受信状況が悪化しているか否かは、受信状況を表すパラメータ、たとえば受信強度値が、予め定める閾値以下となっているか否かによって判断する。受信強度値が予め定める閾値以下の場合は、受信状況が悪化していると判断し、受信強度値が予め定める閾値を越えている場合は、受信状況が悪化していないと判断する。
【００６５】
また選局制御部３３は、第１チューナ部１２から与えられる受信Ｃ／Ｎ比情報およびＰＬＬロック情報、第１復調部１３から与えられるＯＦＤＭフレームのフレームロック情報および誤り率情報、第１ＴＳデマルチプレクス部１４から与えられるＰＡＴ断絶情報、ＰＭＴ断絶情報、ＴＳ同期はずれ情報およびＴＳパケットの損失情報、ならびに映像・音声デコード部３１から与えられるデコードエラー検出情報およびデコードエラー率情報のうちの少なくともいずれか１つに基づいて、第１系統１０の受信状況が悪化しているか否かを判断してもよい。
【００６６】
ステップａ５では、ダイバシティモードによる中継局または系列局のサーチを行う。ダイバシティモードにおけるサーチ処理の詳細については、後述する。ダイバシティモードでサーチ処理を実行させると、ステップａ１に戻り、前述の処理を繰返す。
【００６７】
図５は、裏サーチ動作におけるデジタル放送受信装置１の処理手順を示すフローチャートである。図５に示すフローチャートの各処理は、サーチ方式切替制御部３６および選局制御部３３によって実行される。図５に示すフローチャートの処理は、図４に示すステップａ１において現在位置が放送エリアの境界近傍ではないと判断されて、ステップａ２に移行すると開始され、ステップｂ１に移行する。
【００６８】
ステップｂ１において、サーチ方式切替制御部３６は、選局制御部３３に独立受信モードに切替える通知を行う。これによって選局制御部３３は、第１および第２復調部１３，２３に、独立受信モードに切替える指示を行い、動作モードを独立受信モードに設定する。このようにして独立受信モードに設定すると、ステップｂ２に移行する。
【００６９】
次にステップｂ２において、選局制御部３３は、第１系統１０による映像信号および音声信号のデコードをそのまま継続し、第２系統２０によってチャンネルサーチを開始する。このとき、選局制御部３３は、全チャンネルを対象に各物理チャンネルを順に選局する指示を第２チューナ部２２に通知する。本実施の形態では、選局制御部３３は、放送エリア情報記憶部３４から現在位置にて受信できる可能性の高い中継局または系列局の物理チャンネルを取得し、その物理チャンネルから先に選局してサーチを行う指示、すなわち前述の優先的サーチを行う指示を通知する。このようにして第１系統１０による映像信号および音声信号のデコードを継続するとともに、第２系統２０によるチャンネルサーチを開始すると、ステップｂ３に移行する。
【００７０】
ステップｂ３では、選局制御部３３は、中継局または系列局が検出されたか否かを判断する。具体的に述べると、まず選局制御部３３は、第２チューナ部２２から与えられるＰＬＬロック情報に基づいて、ＰＬＬがロックされたことを確認した後、第２復調部２３から与えられるフレームロック情報に基づいて、第２復調部２３にてＯＦＤＭフレームロックができることを確認する。
【００７１】
ＰＬＬロック、ＯＦＤＭロックが確認できれば、次に選局制御部３３は、第２ＴＳデマルチプレクス部２４でＮＩＴセクションまたは放送局情報テーブル（Broadcaster Information Table；略称：ＢＩＴ）セクションが取得できるのを待ち、これらが取得できれば、ＰＳＩ／ＳＩ情報から第１系統１０で視聴中の物理チャンネルのＴＳに対する中継局または系列局であるか否かを判断する。その判断は、たとえば、ＮＩＴ記載情報に基づいて、ＮＩＴに記載されるＴＳ＿ＩＤが、第１系統１０で視聴中の物理チャンネルのＴＳと同一のＴＳ＿ＩＤであれば、中継局が検出できたと判断する。またＢＩＴ記載情報に基づいて、ＢＩＴに、第１系統１０で視聴中の物理チャンネルのＴＳと同一の系列事業者識別値（affiliation_id値）が格納されていれば、系列局が検出できたと判断する。判断に使用するＰＳＩ／ＳＩ情報が取得できなければ、中継局および系列局のいずれも検出されなかったと判断する。
【００７２】
このようにして選局制御部３３は、中継局または系列局が検出されたか否かを判断し、中継局または系列局が検出されたと判断すると、ステップｂ４に移行し、中継局および系列局のいずれも検出されなかったと判断すると、ステップｂ６に移行する。中継局および系列局のいずれも検出されなかったと判断される場合には、ＰＬＬロックできない場合、ＯＦＤＭフレームロックできない場合、ＳＩ／ＰＳＩ情報が取得できない場合、およびＳＩ／ＰＳＩ情報から中継局または系列局でないと判断される場合が含まれる。
【００７３】
ステップｂ４において、選局制御部３３は、第２系統２０で検出した物理チャンネルのＴＳの受信状況と、第１系統１０で視聴中の物理チャンネルのＴＳの受信状況とを比較し、第１系統１０で視聴中の物理チャンネルのＴＳよりも、第２系統２０で検出した物理チャンネルのＴＳの方が、受信状況が良好であるか否かを判断する。第２系統２０で検出した物理チャンネルのＴＳの受信状況の方が良好となるまでは両者の比較を継続し、第２系統２０で検出した物理チャンネルのＴＳの受信状況の方が良好であると判断すると、ステップｂ５に移行する。
【００７４】
ステップｂ５では、選局制御部３３は、第２系統２０で検出した物理チャンネルのＴＳを視聴するために、第２系統２０で取得された映像データおよび音声データを映像・音声デコード部３１に入力させる。
【００７５】
このとき、映像・音声デコード部３１では、第１系統１０で取得された映像データおよび音声データのデコード処理を一旦停止し、入力切替して、第２系統２０で取得された映像データおよび音声データを第２ＴＳデマルチプレクス部２４から出力させて映像・音声デコード部３１に入力させ、デコード処理を開始する。本実施の形態とは異なるが、第１系統１０で取得されたデータのデコード処理停止後、第１系統１０にて、第２系統２０で検出した物理チャンネルを再度選局し、第１ＴＳデマルチプレクス部１４から出力させて映像・音声デコード部３１に入力させ、デコード処理を開始してもよい。このようにして第２系統２０で検出された物理チャンネルのＴＳの映像データおよび音声データのデコード処理を行うと、全ての処理手順を終了し、図４に示すステップａ１に戻り、前述の処理を繰返す。
【００７６】
ステップｂ６では、選局制御部３３は、現在位位置検出部１１３から得た現在位置情報と、放送エリア情報記憶部３４から得た放送エリアテーブルとに基づいて、現在位置が放送エリアの境界近傍であるか否かを判断する。ステップｂ６において、現在位置が放送エリアの境界近傍であると判断すればステップｂ７に移行し、現在位置が放送エリアの境界近傍ではないと判断すればステップｂ３に戻り、前述の処理を繰返す。
【００７７】
ステップｂ７では、サーチ方式切替制御部３６は、選局制御部３３にダイバシティモードに切替える通知を行い、選局制御部３３は、第１および第２系統１０，２０にダイバシティモードによる中継局または系列局のサーチを行うように指示する。ダイバシティモードにおけるサーチ処理の詳細については、後述する。ステップｂ７において、ダイバシティモードでサーチを行うと、全ての処理手順を終了し、図４に示すステップａ１に戻り、前述の処理を繰返す。
【００７８】
前述の図３において地点Ａから地点Ｂに移動している間は、ステップｂ６において、現在位置が放送エリアの境界近傍ではないと判断されるので、選局制御部３３は、ステップｂ３に戻り、独立受信モードのまま、次の物理チャンネルを選局してサーチを継続する。図３において地点Ｂから地点Ｃに移動している間は、ステップｂ６において、現在位置が放送エリアの境界近傍であると判断されるので、選局制御部３３は、ステップｂ７に移行して、ダイバシティモードでサーチを行う。
【００７９】
図６は、ダイバシティモードによるサーチ処理におけるデジタル放送受信装置１の処理手順を示すフローチャートである。図６に示すフローチャートの各処理は、サーチ方式切替制御部３６および選局制御部３３によって実行される。図６に示すフローチャートの処理は、図４に示すステップａ４において受信状況が悪化していると判断されてステップａ５に移行した場合、または図５に示すステップｂ６において現在位置が放送エリアの境界近傍であると判断されてステップｂ７に移行した場合に開始され、ステップｃ１に移行する。
【００８０】
ステップｃ１において、選局制御部３３は、それまで視聴していた映像データおよび音声データのデコードを停止し、ステップｃ２に移行する。次にステップｃ２において、選局制御部３３は、第１および第２復調部１３，２３に、動作モードを独立受信モードからダイバシティモードに切替える指示を行うことによって、動作モードをダイバシティモードに設定する。このようにしてダイバシティモードに設定すると、ステップｃ３に移行する。
【００８１】
次にステップｃ３において、選局制御部３３は、ダイバシティモードによる中継局または系列局のチャンネルサーチを開始する。このとき、選局制御部３３は、全チャンネルを対象に各物理チャンネルを順に選局する指示を第１および第２チューナ部１２，２２に通知する。本実施の形態では、選局制御部３３は、放送エリア情報記憶部３４から現在位置にて受信できる可能性の高い中継局または系列局の物理チャンネルを取得し、その物理チャンネルから先に選局してサーチを行う指示、すなわち前述の優先的サーチを行う指示を通知する。このようにしてダイバシティモードでのチャンネルサーチを開始すると、ステップｃ４に移行する。
【００８２】
ステップｃ４では、選局制御部３３は、前述の図５に示すステップｂ３と同様にして、中継局または系列局が検出されたか否かを判断する。具体的に述べると、まず選局制御部３３は、第１および第２チューナ部１２，２２から与えられるＰＬＬロック情報に基づいてＰＬＬロックができたことを確認した後、第１および第２復調部１３，２３から与えられるフレームロック情報に基づいて、第１および第２復調部１３，２３にてＯＦＤＭフレームロックができることを確認する。
【００８３】
ＰＬＬロック、ＯＦＤＭロックが確認できれば、次に選局制御部３３は、第１ＴＳデマルチプレクス部１４でＮＩＴセクションまたはＢＩＴセクションが取得できるのを待ち、これらが取得できれば、ＰＳＩ／ＳＩ情報から第１系統１０で視聴していた物理チャンネルのＴＳに対する中継局または系列局であるか否かを判断する。
【００８４】
その判断は、たとえば、前述の図５に示すステップｂ３と同様に、ＮＩＴ記載情報からＮＩＴに記載されるＴＳ＿ＩＤが、第１系統１０で視聴していた物理チャンネルのＴＳと同一のＴＳ＿ＩＤであれば、中継局であると判断する。またＢＩＴ記載情報に基づいて、ＢＩＴに、第１系統１０で視聴していた物理チャンネルのＴＳと同一のaffiliation_id値が格納されていれば、系列局であると判断する。判断に使用するＰＳＩ／ＳＩ情報が取得できなければ、中継局および系列局のいずれも検出されなかったと判断する。前述のようにダイバシティモードでは第２系統２０の第２ＴＳデマルチプレクス部２４は用いられず、第２復調部２３からの出力が第１復調部１３に入力されるので、ＮＩＴセクションおよびＢＩＴセクションは、第１ＴＳデマルチプレクス部１４で取得できるか否かが判断される。
【００８５】
このようにして選局制御部３３は、中継局または系列局が検出されたか否かを判断し、中継局または系列局が検出されたと判断すると、ステップｃ５に移行する。ステップｃ５において、選局制御部３３は、チャンネルサーチを停止し、ステップｃ６に移行し、ステップｃ６において、検出した中継局または系列局を視聴するための選局処理を行う。
【００８６】
このとき、ダイバシティモードは維持されており、受信安定性の高い状態で映像データおよび音声データのデコードがなされている。このようにして、検出したチャンネルを視聴するための選局処理を行うと全ての処理手順を終了し、図４に示すステップａ１に移行して、前述の処理を繰返す。これによって、図４に示すステップａ１にて、定期的に、現在位置が放送エリアの境界近傍か否かの監視がなされる。移動体の移動に伴い、デジタル放送受信装置１の現在位置が放送エリアの境界近傍から中心領域に移動した場合には、ステップａ１からステップａ２に移行して、ステップａ２において、独立受信モードに切替えられて、第２系統２０で裏サーチが行われる。
【００８７】
図６に示すステップｃ４において、各物理チャンネルのサーチの結果、中継局および系列局のいずれも検出されなかったと判断した場合には、選局制御部３３は、中継局または系列局が検出されるまで、次の物理チャンネルを選局してサーチを継続する。ここで、中継局および系列局のいずれも検出されなかったと判断される場合には、ＰＬＬロックできない場合、ＯＦＤＭフレームロックできない場合、ＳＩ／ＰＳＩ情報が取得できない場合、およびＳＩ／ＰＳＩ情報から中継局または系列局でないと判断される場合が含まれる。
【００８８】
ステップｃ４においてサーチを継続する間に、元々視聴していた物理チャンネルの受信状況が改善される可能性があるので、ステップｃ４でサーチを行うときには、一定個数の物理チャンネルのサーチを完了する毎に、元々視聴していた物理チャンネルのサーチを行ってもよい。
【００８９】
また本実施の形態とは異なるが、前述の図４に示すステップａ１において現在位置が放送エリアの境界近傍であるか否かを判断するときに、放送エリアの境界近傍であると判断した場合に、さらに現在位置が中継局または系列局の放送エリアとの重複エリアに位置するか否かを判断し、放送エリアの境界近傍でかつ重複エリアに位置すると判断した場合に、ステップａ２に移行して、第２系統２０で裏サーチを行うようにしてもよい。現在位置が中継局または系列局の放送エリアとの重複エリアに位置するか否かの判断は、たとえば、現在位置検出部３５から与えられる現在位置情報と、放送エリア情報記憶部３４から与えられる放送エリアテーブルとに基づいて行われる。
【００９０】
以上のように本実施の形態のデジタル放送受信装置１によれば、ダイバシティ動作モードまたは独立受信動作モードで動作される第１および第２系統１０，２０によって、選局制御部３３に指示された物理チャンネルが選局され、選局された物理チャンネルで放送局から放送される放送サービスのデジタル放送信号が受信されて復調され、出力される。出力されたデジタル放送信号に含まれる映像信号および音声信号が映像・音声デコード部３１で抽出され、映像音声出力部３２によって出力される。
【００９１】
ダイバシティ動作モードと独立受信動作モードとは、サーチ方式切替制御部３６に指示される選局制御部３３によって、現在位置検出部３５で取得される現在位置情報と、放送エリア情報記憶部３４に記憶される放送エリア情報とに基づいて選択される。これによって、現在位置に応じた適切な動作モードで動作させることができる。
【００９２】
具体的には、現在位置検出部３５で取得される現在位置情報が示す現在位置が、受信状況が悪いことが多い放送エリアの境界近傍である場合、すなわち境界近傍エリアに現在位置が位置する場合には、選局制御部３３によってダイバシティ動作モードが選択され、第１および第２系統１０，２０がダイバシティ動作モードで動作する。これによって受信状況を改善し、視聴可能エリアを拡大することができる。
【００９３】
また現在位置が、放送エリアの境界近傍でない場合、すなわち受信状況が良好な放送エリアの中心領域に現在位置が位置する場合には、選局制御部３３によって独立受信動作モードが選択され、第１および第２系統１０，２０が独立受信動作モードで動作する。これによって、一方の系統で視聴を継続しながら、他方の系統でサーチを行うことが可能であるので、受信状況が悪化したときに、受信状況の良好な物理チャンネルに円滑に切替えることが可能である。したがって、移動体の移動に伴って受信環境が変化しても、安定した視聴が可能なデジタル放送受信装置１を実現することができる。
【００９４】
具体的に述べると、本実施の形態では、デジタル放送受信装置１は、受信中の放送サービスの放送エリアの境界近傍エリアに現在位置が位置する場合にダイバシティモードで視聴し、境界近傍エリアでない、すなわち中心領域に現在位置が位置する場合に、独立受信モードで視聴と中継局および系列局のサーチとを行うようにしている。
【００９５】
放送エリアの中心領域では、ビルなどの地上構造物によって一時的に受信不可となる割合が高く、早急なサーチが求められるが、ダイバシティモードでは、１つのＴＳしか使用できないので、デコードを停止して、その後サーチを行うことになってしまう。したがって、放送エリアの中心領域で、ダイバシティモードで動作させてしまうと、視聴できない期間が長くなってしまうおそれがある。
【００９６】
これに対し、本実施の形態のように、放送エリアの中心領域において独立受信モードで動作させた場合、元々視聴していた物理チャンネルの視聴を第１系統１０で維持し続け、別系統である第２系統２０でサーチを行うので、ビル陰などを移動することによって受信状況が一時的に悪化し、その後改善した場合、復帰を早くすることができる。すなわち、視聴できるようになるまでに要する時間を短縮することができる。
【００９７】
また別系統である第２系統２０によるサーチは、受信不可になる前に事前に行うので、中継局または系列局をサーチできていれば、一時的な受信不可時にも、シームレスに中継局または系列局に切り替えることができる。
【００９８】
また、放送エリアの中心領域では受信状況は悪くなく、より安定性の強いダイバシティモードで動作させなくても、視聴に支障を来す確率が低いので、本実施の形態のように、放送エリアの中心領域で、独立受信モードで動作させることによって、同一番組を極力継続して視聴することができる。
【００９９】
また本実施の形態では、現在位置が放送エリアの境界近傍エリアに位置する場合に、ダイバシティモードで視聴を行うようにしている。これは、放送エリアの境界近傍エリアでは、受信状況が悪い箇所が多く、そのまま放送エリアから離れていくと受信不可になることを考慮してのことである。このような境界近傍エリアでは、ダイバシティモードで動作させることで受信状況を改善し、視聴可能エリアを拡大することができる。
【０１００】
このようなエリアにおいて独立受信モードで別系統にてサーチを行ったとしても、ダイバシティモードに比べて受信安定性の良くない独立受信モードで視聴しているので、視聴可能エリアが小さくなり、中継局または系列局を視聴可能なエリアが重複する重複エリアが小さくなってしまう。したがって、中継局または系列局を別チャンネルで検出する前に視聴不可となる場合が多くなってしまう。
【０１０１】
このように放送エリアの境界近傍エリアでは、本実施の形態のようにダイバシティモードで動作させることによって、放送エリアを拡大することができ、その結果、中継局または系列局のサービスエリア、すなわち放送エリアと重複できる確率を高めることができる。
【０１０２】
そして、ダイバシティモードで視聴していて視聴不可になった場合には、ダイバシティモードで中継局および系列局をサーチするので、サーチ対象の放送エリアを拡大することができる。したがって、中継局または系列局を視聴可能な重複エリアをさらに拡大することができ、同一番組を極力継続して視聴することができる。
【０１０３】
またたとえば、ビル陰の影響によって一時的に受信できないエリアの情報を記録しておくためには、細かな分解能で地図上をメッシュで区切らなくてはならず、この細かなメッシュ単位で受信状況を記録させることになり、膨大なデータ量となってしまう。
【０１０４】
これに対して、本実施の形態のデジタル放送受信装置１では、現在位置が放送エリア中の境界近傍エリアであるか否かで、サーチ方式をダイバシティモードまたは独立受信モードに切替えるようにしているので、ビル陰であっても放送エリアの境界近傍エリアでなければ、裏で中継局または系列局のサーチを行うか、またはすでに検出しておいた中継局または系列局に切り替えればよいだけである。したがって、放送エリア情報記憶部３４に記憶しておく放送エリア情報が、経度緯度に対して細かな分解能でメッシュを切ったテーブルを持たなくても、効果的に中継局または系列局を短時間で検出することができ、メモリ容量を小さくすることができる。
【０１０５】
また本実施の形態では、前述の図５に示すように第２系統２０で裏サーチを実行しているときにも、ステップｂ６において、現在位置が放送エリアの境界近傍エリアであるか否かの監視を行い、放送エリアの境界近傍エリアであると判断した場合に、ダイバシティモードに切替えてサーチを行うようにしている。したがって、サーチ中に放送エリアの境界近傍エリアに移動した場合に、そのまま独立受信モードでサーチを続ける場合に比べて、好適なサーチ方式に切り替えることができ、中継局または系列局の検出性能を向上することができる。
【０１０６】
また本実施の形態では、現在位置が放送エリアの境界近傍エリアであるか否かの判断の結果、現在位置が放送エリアの境界近傍エリアに位置すると判断した場合に、図４に示すステップａ２で第２系統２０による裏サーチを行うようにしているが、このような構成に限定されない。
【０１０７】
たとえば、現在位置が放送エリアの境界近傍エリアに位置すると判断した場合に、さらに放送エリア情報記憶部３４を参照して、放送エリア情報に基づいて、現在位置が、放送エリアの境界近傍エリアでかつ中継局または系列局の放送エリアと重複する重複エリアに位置すると判断した場合に、ステップａ２の第２系統２０による裏サーチを行うようにしてもよい。これによって、放送エリアの境界近傍エリアでも中継局または系列局を受信する可能性のある場合に、短時間で中継局または系列局を検出することができる。この場合、放送エリア情報記憶部３４には、放送エリア情報として、前述の図２に示す中継局および系列局の物理チャンネルに加えて、中継局および系列局の放送エリアを記憶させておく。
【０１０８】
また本実施の形態では、ダイバシティモードにおいて、各物理チャンネルを順にサーチするが、これに限定されず、ダイバシティモードでサーチ中に一定個数の物理チャンネルのサーチを完了する毎に、元々視聴していた物理チャンネルのサーチをするようにしてもよい。これによって、サーチが完了するまで元ＴＳに選局を戻すのを待つ必要が無い。したがって、元々視聴していた物理チャンネルの受信状況が改善された場合に、比較的短時間で視聴を再開することができる。
【０１０９】
また本実施の形態では、中継局および系列局のサーチ順序について、選局制御部３３は、放送エリア情報記憶部３４から現在位置にて受信できる可能性の高い中継局および系列局の物理チャンネルを取得し、その物理チャンネルから先にサーチを行う、前述の優先的サーチを行うようにしている。これによって、短時間で中継局または系列局を検出することができるので、受信不可となったときに、高速に切り替えることができ、同一番組を極力継続して視聴することができる。
【０１１０】
また図２に示す放送エリア情報は、本実施の形態のように製品出荷時に事前に埋め込んでおくだけでなく、ＩＳＤＢ−Ｔで伝送される周波数リストを用いて生成したり、ＤＶＢ−Ｔで伝送されるＮＩＴセクションに含まれるセルリスト（cell_list）記述子とセルリンク周波数（cell_link_frequency）記述子とを用いて、これらの記述子に記載される受信エリア情報の更新に伴って更新するようにしたり、移動しながら受信できたＴＳの情報を経度緯度の情報とともに、すなわち放送サービスが受信できた放送エリアに基づいて、更新したりするようにしてもよい。これによって、最新の放送エリア情報に基づいて、現在位置が放送エリアの境界近傍エリアであるか否かの判断、および優先的にサーチする中継局または系列局の把握ができるので、より確実で効率的なサーチをすることができる。
【０１１１】
また本実施の形態では、中継局および系列局をサーチするときには、現在位置で受信できる可能性の高いチャンネルから優先的にサーチする前述の優先的サーチの後に、残りの全チャンネルのサーチを行うが、残りの全チャンネルのサーチにおいても、特定のチャンネルを優先的にサーチするようにしてもよい。この場合、前述の優先的サーチによって中継局または系列局が検出できないと判断すると、放送エリア情報記憶部３４に記憶されている全ＴＳの中から、現在視聴中のＴＳに対する中継局または系列局を取得する。そして、その放送エリアの重心または境界線上の最も近い点からの距離、すなわち現在位置と放送エリアの重心位置との距離、または現在位置と放送エリアの境界との距離を計算する。その距離が、ある閾値を超えない中継局および系列局の中で、その距離が近い中継局または系列局のチャンネルから優先的に選局してサーチする。これによって、放送エリアの境界近傍で、条件によっては良好に視聴できるような放送局を優先的に選局することが可能となる。
【０１１２】
また、前述のように放送エリアを矩形および円形などの形状で記憶している場合、記憶されている放送エリアが実際の放送エリアよりも狭くなることがあるが、このように放送エリアが実際の放送エリアよりも狭く記憶されている放送局についても、サーチのときに優先的に選局することが可能となる。
【０１１３】
また本実施の形態のデジタル放送受信装置１は、ＴＳと物理チャンネルとが一対一で対応している、ＮＩＴに記載されているｎｅｔｗｏｒｋ＿ｉｄが同一である同一ネットワーク内での移動に対しては有効である。しかし、異なるネットワーク間の移動、たとえば欧州などの地域の移動を行った場合は、同一の物理チャンネルでも異なるＴＳが放送されていることが多い。そのような地域間を移動した場合に、図２に示した受信エリアテーブルを用いてサーチを行うと、同一のＴＳを検出できずに異なるＴＳの選局を試みてしまうので、中継局および系列局を選局するために時間がかかってしまうことがある。
【０１１４】
図７は、本発明の実施の一形態における放送エリア情報記憶部３４に記憶される放送エリアテーブルにおいて、ＴＳを一意に特定する情報を記録するようにした一例を示す図である。前述の異なるネットワーク間での移動に対しては、図７に示す受信エリアテーブルのように、ある放送局の中継局および系列局との対応付けに、それらが送出しているＴＳを特定する情報、より詳細にはＴＳを一意に特定する情報を用いることが好ましい。このように放送エリア情報記憶部３４は、中継局に関する情報および系列局に関する情報のうちの少なくとも一方として、中継局が送出するＴＳを特定する情報、および系列局が送出するＴＳを特定する情報のうちの少なくとも一方を記憶することが好ましい。換言すれば、放送エリア情報記憶部３４は、ＴＳ単位で中継局および系列局を記憶することが好ましい。
【０１１５】
ＴＳを特定する情報（以下「ＴＳ情報」という場合がある）としては、たとえばＮＩＴに記載されているｎｅｔｗｏｒｋ＿ｉｄ、ｏｒｉｇｉｎａｌ＿ｎｅｔｗｏｒｋ＿ｉｄ、ＴＳ＿ＩＤの組を用いる。たとえば図７に示す受信エリアテーブルには、受信できる可能性のあるＴＳの名称であるＴＳ名６１と、ＴＳ名６１の列に記載された各ＴＳを放送している物理チャンネル６２と、そのＴＳを受信可能な受信エリアである放送エリア６３と、そのＴＳに対する中継局および系列局、すなわち同じＴＳを送出している中継局および系列局のＴＳ情報とが記載されている。図７では、中継局のＴＳ情報として、ＭＦＮの中継局が送出するＴＳを特定する情報が、ＭＦＮ  ＴＳ６４の列に記載されている。また系列局のＴＳ情報は、系列局ＴＳ６５の列に記載されている。
【０１１６】
図７において、ＴＳ名６１、ＭＦＮ  ＴＳ６４および系列局ＴＳ６５の各列には、文字列「ＴＳ」と番号とを組合わせた文字列「ＴＳＸＸ」が記載されている。「ＴＳＸＸ」のうち、「ＸＸ」の部分は、番号を表す。ＴＳ名６１、ＭＦＮ  ＴＳ６４および系列局ＴＳ６５の各列に記載される「ＴＳＸＸ」は、具体的には、前述のｎｅｔｗｏｒｋ＿ｉｄ、ｏｒｉｇｉｎａｌ＿ｎｅｔｗｏｒｋ＿ｉｄ、ＴＳ＿ＩＤの組のようなＴＳ情報を格納している。
【０１１７】
視聴中の番組が受信不可になった場合には、現在位置で受信可能な中継局および系列局のＴＳを、図７に示す受信エリアテーブルを参照して、ＴＳ名６１の列に記載されたＴＳのＴＳ情報の中から、現在視聴中のＴＳのＴＳ情報を検索する。現在視聴中のＴＳのＴＳ情報を検出できた場合、図７に示すＭＦＮ  ＴＳ６４および系列局ＴＳ６５を参照し、同一番組の放送を行っている可能性のあるＴＳのＴＳ情報を取得する。この取得できたＴＳ情報のＴＳに対して優先的にサーチを行うことで、異なるネットワークに移動した場合でも、短時間で中継局または系列局に選局を切り替えることができる。
【０１１８】
このようにＴＳ単位で中継局および系列局を記憶することによって、ネットワークを跨ぐ移動を行った場合でも、中継局または系列局を優先的に選局することができる。したがって、短時間で中継局または系列局を選局することができる。
【０１１９】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１２０】
１１  第１アンテナ、１２  第１チューナ部、１３  第１復調部、１４  第１ＴＳデマルチプレクス部、２１  第２アンテナ、２２  第２チューナ部、２３  第２復調部、２４  第２ＴＳデマルチプレクス部、３１  映像・音声デコード部、３２  映像音声出力部、３３  選局制御部、３４  放送エリア情報記憶部、３５  現在位置検出部、３６  サーチ方式切替制御部。
【図１】
2010131637.tif 000003
【図２】
2010131637.tif 000004
【図３】
2010131637.tif 000005
【図４】
2010131637.tif 000006
【図５】
2010131637.tif 000007
【図６】
2010131637.tif 000008
【図７】
2010131637.tif 000009
【手続補正書】
【提出日】平成23年6月17日(2011.6.17)
【手続補正１】
【補正対象書類名】明細書
【補正対象項目名】００１０
【補正方法】変更
【補正の内容】
【００１０】
本発明のデジタル放送受信装置は、物理チャンネルを選局して、選局した物理チャンネルで放送局から放送される放送サービスのデジタル放送信号を受信し、受信したデジタル放送信号を復調してデコードする第１および第２の系統と、前記第１および第２の系統に対して、選局するべき物理チャンネルを指示する選局制御手段と、前記第１の系統と前記第２の系統とが同一の物理チャンネルを選局して、ダイバシティ処理によって協働してデジタル放送信号を復調してデコードするダイバシティ動作モードと、前記第１の系統と前記第２の系統とが独立して、デジタル放送信号を個別に復調してデコードする独立受信動作モードとを切替えるように、前記選局制御手段に指示する切替制御手段と、現在位置を表す現在位置情報を取得する現在位置取得手段と、受信できる可能性のある放送サービスの放送局の物理チャンネルおよび放送エリア、ならびに前記放送局の中継局に関する情報および系列局に関する情報のうちの少なくとも一方を含む放送エリア情報を記憶する放送エリア情報記憶手段とを備え、前記切替制御手段は、前記現在位置取得手段で取得される現在位置情報と、前記放送エリア情報記憶手段に記憶される放送エリア情報とに基づいて、前記ダイバシティ動作モードと前記独立受信動作モードとを切替えるように、前記選局制御手段に指示することを特徴とする。
【手続補正２】
【補正対象書類名】明細書
【補正対象項目名】００１１
【補正方法】変更
【補正の内容】
【００１１】
本発明のデジタル放送受信装置によれば、ダイバシティ動作モードまたは独立受信動作モードで動作される第１および第２の系統によって、選局制御手段に指示された物理チャンネルが選局され、選局された物理チャンネルで放送局から放送される放送サービスのデジタル放送信号が受信され、復調されてデコードされる。ダイバシティ動作モードと独立受信動作モードとは、切替制御手段に指示される選局制御手段によって、現在位置取得手段で取得される現在位置情報と、放送エリア情報記憶手段に記憶される放送エリア情報とに基づいて選択される。これによって、現在位置に応じた適切な動作モードで動作させることができる。
【手続補正３】
【補正対象書類名】明細書
【補正対象項目名】００１２
【補正方法】変更
【補正の内容】
【００１２】
たとえば、現在位置が、受信状況が悪いことが多い放送エリアの境界近傍である場合に、選局制御手段によってダイバシティ動作モードを選択させ、第１および第２の系統をダイバシティ動作モードで動作させることによって、受信状況を改善し、視聴可能エリアを拡大することができる。また現在位置が、放送エリアの境界近傍でない場合、すなわち受信状況が良好な放送エリアの中心領域に位置する場合に、選局制御手段によって独立受信動作モードを選択させ、第１および第２の系統を独立受信動作モードで動作させることによって、一方の系統で視聴を継続しながら、他方の系統でサーチを行うことが可能である。これによって、受信状況が悪化したときに、受信状況の良好な物理チャンネルに円滑に切替えることが可能である。したがって、移動に伴って受信環境が変化しても、安定した視聴が可能なデジタル放送受信装置を実現することができる。
【手続補正４】
【補正対象書類名】特許請求の範囲
【補正対象項目名】全文
【補正方法】変更
【補正の内容】
【特許請求の範囲】
【請求項１】
物理チャンネルを選局して、選局した物理チャンネルで放送局から放送される放送サービスのデジタル放送信号を受信し、受信したデジタル放送信号を復調してデコードする第１および第２の系統と、
前記第１および第２の系統に対して、選局するべき物理チャンネルを指示する選局制御手段と、
前記第１の系統と前記第２の系統とが同一の物理チャンネルを選局して、ダイバシティ処理によって協働してデジタル放送信号を復調してデコードするダイバシティ動作モードと、前記第１の系統と前記第２の系統とが独立して、デジタル放送信号を個別に復調してデコードする独立受信動作モードとを切替えるように、前記選局制御手段に指示する切替制御手段と、
現在位置を表す現在位置情報を取得する現在位置取得手段と、
受信できる可能性のある放送サービスの放送局の物理チャンネルおよび放送エリア、ならびに前記放送局の中継局に関する情報および系列局に関する情報のうちの少なくとも一方を含む放送エリア情報を記憶する放送エリア情報記憶手段とを備え、
前記切替制御手段は、
前記現在位置取得手段で取得される現在位置情報と、前記放送エリア情報記憶手段に記憶される放送エリア情報とに基づいて、前記ダイバシティ動作モードと前記独立受信動作モードとを切替えるように、前記選局制御手段に指示することを特徴とするデジタル放送受信装置。
【請求項２】
前記切替制御手段は、
前記現在位置取得手段で取得される現在位置情報と、前記放送エリア情報記憶手段に記憶される放送エリア情報とに基づいて、前記現在位置情報で表される現在位置が、受信中の放送サービスの放送局の放送エリアとして前記放送エリア情報から取得される放送エリアの境界近傍である場合には前記ダイバシティ動作モードを選択し、前記現在位置情報で表される現在位置が、前記放送エリアの境界近傍でない場合には前記独立受信動作モードを選択するように、前記選局制御手段に指示することを特徴とする請求項１に記載のデジタル放送受信装置。
【請求項３】
前記選局制御手段は、
前記第１および第２の系統がダイバシティ動作モードで動作しているときには、受信中の放送サービスの受信状況が悪化した場合に、前記第１および第２の系統で協働して、受信中の放送サービスの放送局の中継局および系列局をサーチし、前記第１および第２の系統が独立受信動作モードで動作しているときには、前記第１および第２の系統のうち、一方の系統で、受信中の放送サービスのデジタル放送信号を復調してデコードするとともに、他方の系統で、前記受信中の放送サービスの放送局の中継局および系列局をサーチするように、前記第１および第２の系統に指示することを特徴とする請求項１または２に記載のデジタル放送受信装置。
【請求項４】
前記切替制御手段は、
前記現在位置情報で表される現在位置が、前記放送エリア情報から取得される受信中の放送サービスの放送局の放送エリアのうちの境界近傍エリアであって、前記放送局の中継局または系列局の放送エリアと重複しているエリアに位置するとき、前記独立受信動作モードで、前記第１および第２の系統のうち、一方の系統で、受信中の放送サービスのデジタル放送信号を復調してデコードするとともに、他方の系統で、前記受信中の放送サービスの放送局の中継局および系列局をサーチし、前記サーチによって前記中継局または系列局が検出できない場合に、前記ダイバシティ動作モードに切替えて、前記中継局および系列局のサーチを行うように、前記選局制御手段に指示することを特徴とする請求項１〜３のいずれか１つに記載のデジタル放送受信装置。
【請求項５】
前記選局制御手段は、
受信中の放送サービスの放送局の中継局および系列局をサーチするとき、前記放送エリア情報記憶手段に記憶される前記放送エリア情報に基づいて、前記現在位置情報で表される現在位置で受信できる可能性の高いチャンネルから優先的に選局し、この選局によって前記中継局または系列局が検出できないと判断すると、前記現在位置と前記放送エリア情報から取得される前記放送エリアの重心位置との距離、または前記現在位置と前記放送エリア情報から取得される前記放送エリアの境界との距離に基づいて、その距離が近い中継局または系列局のチャンネルから優先的に選局するように、前記第１および第２の系統に指示することを特徴とする請求項１〜４のいずれか１つに記載のデジタル放送受信装置。
【請求項６】
前記放送エリア情報記憶手段は、
前記放送局から放送される放送サービスのデジタル放送信号に含まれる周波数リストに記載される送信所の所在地の郵便番号および送信電力に基づいて、前記放送エリアを推定して記憶することを特徴とする請求項１〜５のいずれか１つに記載のデジタル放送受信装置。
【請求項７】
前記放送エリア情報記憶手段は、
前記放送局から放送される放送サービスのデジタル放送信号に含まれるネットワーク情報テーブルセクションに含まれるセルリスト（cell list）記述子およびセルリンク周波数（cell link frequency）記述子が更新されると、前記放送エリア情報を更新することを特徴とする請求項１〜６のいずれか１つに記載のデジタル放送受信装置。
【請求項８】
前記放送エリア情報記憶手段は、
前記放送局の中継局に関する情報および系列局に関する情報のうちの少なくとも一方として、前記中継局が送出するトランスポートストリームを特定する情報、および前記系列局が送出するトランスポートストリームを特定する情報のうちの少なくとも一方を記憶することを特徴とする請求項１〜７のいずれか１つに記載のデジタル放送受信装置。
【国際調査報告】
2010131637.tif 000010
2010131637.tif 000011
2010131637.tif 000012
2010131637.tif 000013